(57)【要約】【課題】  管路洗浄中において管路開口部の削れを防ぐ内視鏡用洗浄ブラシの提供。【解決手段】  先端と基端とを備え、長尺で可撓性を有するシャフト２６と、シャフト２６の先端に設けられ、管路内に接触するブラシ毛２７と、シャフト２６の基端付近からシャフト２６の径方向に拡径し、管路開口部の開口面積よりも小さい拡径部３０と、シャフト２６において拡径部３０よりも先端側に設けられ、シャフト２６が挿通され、シャフト２６に対して移動可能とする孔部２８ａと、シャフト２６の径方向に突出し、拡径部３０と当接可能な当接面３２ａを有し、管路の先端側の開口部の内縁部に係止可能な係止部材２８と、シャフト２６に設けられ、係止部材２８の孔部２８ａの内周面と接合する接合面３３を有し、管路の先端方向へ所定の大きさの牽引力によりシャフト２６が牽引されると、接合面３３が係止部材２８の内周面から分離される移動抑止部２９と、を具備する洗浄具。【選択図】図８
2014103978.tif 000002
【特許請求の範囲】
【請求項１】
内視鏡挿入部の先端側と基端側にそれぞれ開口部を有する管路に挿入される洗浄具であって、
先端と基端とを備え、長尺で可撓性を有するシャフトと、
前記シャフトの先端に設けられ、前記管路内に接触する洗浄部材と、
前記シャフトの基端付近から前記シャフトの径方向に拡径し、前記開口部の開口面積よりも小さい拡径部と、
前記シャフトにおいて前記拡径部よりも先端側に設けられ、前記シャフトが挿通され、前記シャフトに対して移動可能とする孔部と、前記シャフトの径方向に突出し、前記拡径部と当接可能な第一の当接面を有し、前記管路の先端側の前記開口部よりも大きく、且つ前記管路内に挿入可能な外形を有した係止部材と、
前記シャフトに設けられ、前記係止部材の孔部の内周面と接合する接合面を有し、前記管路の先端方向へ所定の大きさの牽引力により前記シャフトが牽引されると、前記接合面が前記係止部材の内周面から分離される移動抑止部と、
を具備する洗浄具。
【請求項２】
前記接合面と前記内周面は、前記シャフトの中心軸に対して周方向に形成される面において互いに接合する請求項１に記載の洗浄具。
【請求項３】
前記係止部材は弾性体で形成されている請求項１または２に記載の洗浄具。
【請求項４】
前記移動抑止部は前記シャフトから前記シャフトの基端側に向かって径方向に突出する突出部で形成され、
前記突出部の先端側の面には、先端側から順に、前記開口部と当接可能な第二の当接面及び前記第二の当接面に連接されるよう前記接合面が形成されており、
前記牽引力で前記シャフトが先端側に牽引されると前記第二の当接面が前記開口部に当接し、前記突出部は前記シャフトの前記中心軸方向に変形可能である請求項１または２に記載の洗浄具。
【発明の詳細な説明】
【技術分野】
【０００１】
本発明は、内視鏡用洗浄具に関する。詳しくは、内視鏡の管路をブラッシング洗浄するための洗浄ブラシに関する。
【背景技術】
【０００２】
内視鏡の内部には、処置具を内視鏡先端部に挿通させるための処置具挿通チャンネルや内視鏡の先端部から体腔内の汚物を吸引するための吸引管路、内視鏡先端部に設けられた対物レンズに洗浄液や空気を送るための送気送水管路など、種々の管路が設けられている。各種管路の基端部は、管路へ処置具を挿入したり、送気、送水のための入口部又は吸引の出口部となる開口部を有している。
【０００３】
このような内視鏡は、衛生管理上、使用後に内視鏡全体を洗浄し、清潔に保つ必要がある。特に、薬液や被検者の体液等により汚染される管路の内壁は、洗浄ブラシを用いてブラッシングするブラッシング洗浄を行なっている。
【０００４】
このような洗浄ブラシについて、例えば、特許文献１または特許文献２に開示されている。特許文献１には、シャフトと管路との間の円筒状の空間を全周にわたって密閉するシール部材をシャフトに設けた洗浄ブラシが開示されている。この洗浄ブラシによれば、洗浄後の洗浄液によって既洗浄面が再び汚れてしまう不都合の発生を防止し、効率良く管路内を洗浄することが可能である。また、例えば特許文献２には、シャフトに設けられた弾力性のある部材を有する閉塞部材が管路の内周面の全周にわたって密着しつつ、管路内を移動することによって、管路内の細かい汚物や汚液等もブラッシング時に同時に管路内から排出させる洗浄ブラシが開示されている。
【０００５】
このような洗浄ブラシを用いたブラッシング洗浄では、洗浄ブラシを管路の基端側の入口から挿入し、洗浄ブラシを往復させて管路内を洗浄する。その後、管路の先端側の出口から洗浄ブラシのブラシ部分を突出させて洗浄し、再度管路内を洗浄する作業を繰り返している。
【先行技術文献】
【特許文献】
【０００６】
【特許文献１】特開２０１２−５５５１９号公報
【特許文献２】特開平８−１７３３８０号公報
【発明の概要】
【発明が解決しようとする課題】
【０００７】
しかしながら、ブラッシング洗浄では、洗浄ブラシのブラシ部分を管路の先端開口部から突出させる作業が伴うため、洗浄ブラシのシャフトと管路の先端開口部が擦れてしまう場合がある。洗浄ブラシのシャフトは金属製であることが多く、該シャフトが内視鏡の先端開口部とこすれることにより、該開口部に傷が付く虞があった。特に、対物レンズ洗浄のための送気送水管路は対物レンズに向かって曲がった形状を有するため、シャフトと管路開口部がさらに擦れ易くなるという問題があった。
【０００８】
本発明は上記問題点に鑑みてなされたものであり、その目的は、管路洗浄中において管路開口部の削れを防ぐ内視鏡用洗浄ブラシを提供することである。
【課題を解決するための手段】
【０００９】
そこで、上記目的を達成すべく、本発明の一態様の洗浄具は、内視鏡挿入部の先端側と基端側にそれぞれ開口部を有する管路に挿入される洗浄具であって、先端と基端とを備え、長尺で可撓性を有するシャフトと、前記シャフトの先端に設けられ、前記管路内に接触する洗浄部材と、前記シャフトの基端付近から前記シャフトの径方向に拡径し、前記開口部の開口面積よりも小さい拡径部と、前記シャフトにおいて前記拡径部よりも先端側に設けられ、前記シャフトが挿通され、前記シャフトに対して移動可能とする孔部と、前記シャフトの径方向に突出し、前記拡径部と当接可能な第一の当接面を有し、前記管路の先端側の開口部の内縁部に係止可能な係止部材と、前記シャフトに設けられ、前記係止部材の孔部の内周面と接合する接合面を有し、前記管路の先端方向へ所定の大きさの牽引力により前記シャフトが牽引されると、前記接合面が前記係止部材の内周面から分離される移動抑止部と、を具備する。
【００１０】
上記洗浄具において、前記接合面と前記内周面は、前記シャフトの中心軸に対して周方向に形成される面において互いに接合する。
【００１１】
上記洗浄具において、前記係止部材は第一の弾性体で形成され、前記移動抑止部は第一の弾性体とは特性の異なる第二の弾性体で形成されている。
【００１２】
上記洗浄具において、前記移動抑止部は前記シャフトから前記シャフトの基端側に向かって径方向に突出する突出部で形成され、前記突出部の先端側の面には、先端側から順に、前記開口部と当接可能な第二の当接面及び前記第二の当接面に連接されるよう前記接合面が形成されており、前記牽引力で前記シャフトが先端側に牽引されると前記第二の当接面が前記開口部に当接し、前記突出部は前記シャフトの前記中心軸方向に変形可能である。
【発明の効果】
【００１３】
このような構成により、洗浄ブラシのシャフトと管路の先端開口部の間に一定の距離が保たれるので、ブラッシング洗浄において洗浄ブラシのブラシ部分及びシャフトを管路の先端開口部から突出させる際に、シャフトと管路開口部がこすれるのを防ぐことができる。さらに、曲がった管路を有する、対物レンズ洗浄を行うために使用される送気送水管路のブラッシング洗浄においても、洗浄ブラシのブラシ部分及びシャフトを管路の先端開口部から突出させる際に、シャフトと管路開口部がこすれるのを防ぐことができる。
【００１４】
したがって、本発明によれば、管路洗浄中において管路開口部の削れを防ぐ内視鏡用洗浄ブラシを提供することができる。
【図面の簡単な説明】
【００１５】
【図１】本願発明に係る内視鏡の全体図
【図２】内視鏡の先端部の先端面を示す正面図
【図３】図２のIII-III線に沿った先端部の断面図
【図４】図２のＩＶ−ＩＶ線に沿った先端部の断面図
【図５】内視鏡の送気・送水口及び処置具挿通口付近の縦断面図
【図６】第１実施形態に係る洗浄具の全体図
【図７】第１実施形態に係る洗浄具の先端部分の部分拡大図
【図８】第１実施形態に係る洗浄具の縦断面図
【図９】第１実施形態に係る洗浄具の使用状態を示す縦断面図
【図１０】第１実施形態に係る洗浄具の使用状態を示す縦断面図
【図１１】第１実施形態に係る洗浄具の使用状態を示す縦断面図
【図１２】第１実施形態に係る洗浄具の使用状態を示す縦断面図
【図１３】第１実施形態の変形例に係る洗浄具の先端部分の部分拡大図
【図１４】第２実施形態に係る洗浄具の全体図
【図１５】第２実施形態に係る洗浄具の縦断面図
【図１６】第２実施形態に係る洗浄具の移動抑止部付近の部分拡大図
【図１７】第２実施形態に係る洗浄具の使用状況を示す縦断面図
【図１８】変形例を示す内視鏡の送気・送水口付近の縦断面図
【発明を実施するための形態】
【００１６】
（第１実施形態）
本発明の第１実施形態を図１〜図９を用いて説明する。図１は洗浄具が使用される内視鏡１の全体図であり、内視鏡１は、ここでは気管支などの観察対象部位へ挿入する細長の挿入部２と、挿入部２の基端部に連設された操作部３と、操作部３の側面より延設されたユニバーサルケーブル４と、を有して構成されている。
【００１７】
挿入部２は、先端側に先端部５を有し、先端部５の後部に湾曲自在な湾曲部６が連設されている。さらに、湾曲部６の後部に長尺で可撓性を有する可撓管部７が連設されている。
【００１８】
操作部３は、操作把持部を構成する操作部本体８と、可撓管部７の基端側に接続される折れ止め部９と、折れ止め部９の近傍に配設された挿入部２内の管路である後述の送気・送水チャンネル２３の開口部となる送気・送水口１０と、送気・送水口１０の近傍に配設された挿入部２内に処置具を挿通させる管路である後述の処置具挿通チャンネル２０の基端側の開口部となる処置具挿通口１１と、を有して構成されている。
【００１９】
操作部本体８には、湾曲部６を湾曲操作するための湾曲操作ノブ１２が配設されるとともに各種内視鏡機能のスイッチ類１３が設けられている。
【００２０】
図２は内視鏡１の先端部５の先端面を示す正面図であり、ここでは例えば２つの照明光学系である照明レンズ１４と、処置具などが導出されるチャンネル開口部１５と、対物光学系である観察窓１６と、この観察窓１６の表面に向けて液体または気体（さらには、気液混合流体）を噴出する内視鏡用洗浄ノズル１７と、が配設されている。
【００２１】
図３は図２のＩＩＩ−ＩＩＩ線に沿った先端部５の断面図であり、先端部５内には観察窓１６の後方に複数の対物レンズ１８で構成された対物光学系が並設されている。対物レンズ１８の後方には、ＣＣＤ、ＣＭＯＳなどのイメージセンサを有する撮像ユニット１９が配設されている。他にも、撮像ユニット１９の代わりにオプティカルファイバーを配設することも好適である。また、内視鏡１は、挿入部２に処置具を挿通させる処置具挿通チャンネル２０が設けられ、挿入部２の先端部５に処置具挿通チャンネル２０の開口部であるチャンネル開口部１５が配設されている。チャンネル開口部１５のチャンネル開口径は、処置具挿通チャンネル２０の直径よりも小さく形成されている。これは、後述する洗浄具２５の係止部材２８が、チャンネル開口部１５に確実に係止するようにするためである。
【００２２】
図４は図２のＩＶ−ＩＶ線に沿った先端部５の断面図であり、先端部５内には照明光学系である照明レンズ２１が設けられている。照明レンズ２１の後方には照明光を伝送するライトガイド２２が配設されている。また、内視鏡１は、挿入部２に送気・送水チャンネル２３が設けられ、挿入部２の先端部５に送気・送水チャンネル２３の開口部である内視鏡用洗浄ノズル１７が配設されている。挿入部２の長手軸方向に向かって挿入部２の基端側から供給される流体を、観察窓１６の表面に向かって導出させるために、内視鏡用洗浄ノズル１７は、挿入部２の長手軸方向から、観察窓１６の表面に向かって管路経路が湾曲している。さらに、内視鏡用洗浄ノズル１７は流体噴出圧力を上げるために徐々に管路径が小さくなるように形成され、開口部にはノズル開口部２４を有する。ノズル開口部２４の断面形状は、長径と短径を有した扁平状に形成されている。
【００２３】
図５は内視鏡１の送気・送水口１０及び処置具挿通口付近の縦断面図であり、操作部３内には挿入部２内に処置具を挿入する処置具挿通口１１が配設され、この処置具挿通口１１に処置具挿通チャンネル２０が接続されている。また、操作部３は、内部に液体または気体を封入したシリンジ（図示しない）などによって送気・送水を行う送気・送水口１０が配設され、この送気・送水口１０に送気・送水チャンネル２３が接続されている。
【００２４】
図６は第１実施形態に係る洗浄具２５の全体図であり、洗浄具２５は長尺で可撓性を有するシャフト２６と、シャフト２６の先端側に配設されたブラシ毛２７と、ブラシ毛２７よりもシャフト２６の基端側に配設された係止部材２８と、係止部材２８の内側のシャフト２６に設けられた係合部材としての移動抑止部２９と、シャフト２６の基端部に設けられた拡径部３０と、を有して構成されている。係止部材２８、移動抑止部２９の詳細については後述する。
【００２５】
図７は第１実施形態に係る洗浄具２５の先端部分の部分拡大図であり、シャフト２６は金属線３１をねじって形成されており、シャフト２６の長さは処置具挿通チャンネル２０または送気・送水チャンネル２３よりも長く形成されている。また、シャフト先端部２６ａは処置具挿通チャンネル２０の内周面を傷つけないように、金属線３１をループ状に滑らかに湾曲して形成されている。また、シャフト２６の先端付近にはブラシ毛２７が、シャフト２６の中心軸から放射状に植毛されている。シャフト２６の中心軸からブラシ毛２７先端までの長さは、内視鏡１の処置具挿通チャンネル２０または送気・送水チャンネル２３の半径よりも長く構成されている。ブラシ毛２７はそれぞれのチャンネルの内周面に当接して曲がるような柔軟性を有し、例えば可撓性のある細い合成樹脂繊維で形成されている。
【００２６】
図８は第１実施形態に係る洗浄具２５の縦断面図であり、係止部材２８はシャフト２６の径方向に突出し、外径がチャンネル開口部１５のチャンネル開口径またはノズル開口部２４の短径よりも大きく、処置具挿通チャンネル２０または送気・送水チャンネル２３の孔径よりも小さく形成されている。これは、係止部材２８が処置具挿通チャンネル２０または送気・送水チャンネル２３内では挿入部２の長手軸方向に移動可能にするためである。係止部材２８のほぼ中心には、シャフト２６が挿通されると共に移動抑止部２９と係合する孔部２８ａが設けられている。係止部材２８の外周面において、シャフト２６の基端方向側には当接面３２ａが形成されている。また、係止部材２８は、例えば熱可塑性エラストマー、熱硬化性エラストマー、シリコーン樹脂等で形成されるが、弾性変形可能な弾性体であればその素材は特に限定されない。
【００２７】
移動抑止部２９は、ブラシ毛２７の近傍位置においてシャフト２６に固着され、係止部材２８の孔部２８ａの内周面と接合する接合面３３を有する。接合面３３は、シャフト２６の中心軸の周方向に形成され、接合面３３と内周面との間でシャフト２６の牽引方向に所定の大きさのせん断力が働くと、係止部材２８の内周面と分離する。即ち、移動抑止部２９は、係止部材２８の孔部２８ａ内において、孔部２８ａを形成する内周面と接合面３３が接触しており、係止部材２８の弾性変形によって所定の摩擦力が生じた状態で係止部材２８を所定の保持力を有して保持する。また、移動抑止部２９は、例えば弾性体で形成されている。なお、移動抑止部２９が弾性体で形成される場合は、係止部材２８とは異なる特性を有する弾性体から形成され、好ましくは係止部材２８よりも弾性が低いほうがよい。ただし、移動抑止部２９は、シャフト２６の牽引方向に所定の大きさのせん断力が働いた際に、係止部材２８から分離できればよく、その材質は限定されない。例えば、金属で形成されていてもよい。
【００２８】
拡径部３０は、シャフト２６の径方向に拡径し、拡径部３０の外周面においてシャフト２６の径方向に延設され、シャフト２６の先端方向側を向いた、係止部材２８の当接面３２ａと当接可能な当接面３２ｂを有する。そして、拡径部３０は、内視鏡１のチャンネル開口部１５またはノズル開口部２４の開口面積よりも小さく、係止部材２８の孔部２８ａの開口面積よりも大きく形成され、例えば円盤状に形成されている。
【００２９】
以下に、以上のように構成された洗浄具２５を用いて内視鏡１の処置具挿通チャンネル２０及び送気・送水チャンネル２３を洗浄する際の使用方法について説明する。内視鏡１の処置具挿通チャンネル２０を洗浄する場合は、洗浄具２５の先端を内視鏡１の処置具挿通口１１から挿入する。図９は第一実施形態に係る洗浄具の使用状態を示す図であり、内視鏡１の処置具挿通口１１から洗浄具２５を挿入した様子が示されている。拡径部３０付近を持ってシャフト２６を処置具挿通チャンネル２０に対して押し込むと、ブラシ毛２７は内視鏡１の処置具挿通口１１からチャンネル開口部１５へ向けて移動することになり、ブラシ毛２７は処置具挿通チャンネル２０の内周面に当接し、擦過することにより処置具挿通チャンネル２０内の洗浄を行う。洗浄具２５の先端部が内視鏡１のチャンネル開口部１５に到達したら、シャフト先端部２６ａ付近を引っ張り、後述するように洗浄具２５を処置具挿通チャンネル２０から取り出す。
【００３０】
図１０は第１実施形態に係る使用状態を示す縦断面図であり、内視鏡１のチャンネル開口部１５に洗浄具２５の係止部材２８及び移動抑止部２９が到達した状態を示している。シャフト先端部２６ａ付近を保持してシャフト２６を洗浄具２５の先端方向に牽引する際、係止部材２８及び移動抑止部２９がチャンネル開口部１５に到達すると、図１０（Ａ）に示すように、係止部材２８の外周面がチャンネル開口部１５の内周面に係合し、係止部材２８がチャンネル開口部１５に係止される。さらに、シャフト２６を先端方向に牽引すると、係止部材２８はチャンネル開口部１５に係止されていることから、孔部２８ａの内周面と接合面３３において係止部材２８と移動抑止部２９との間でシャフト２６の牽引方向にせん断力が発生する。このシャフト２６の牽引力が所定の大きさよりも大きくなり、せん断力が所定の値、即ち、係止部材２８の弾性変形によって孔部２８ａ内周面が接合面３３を押圧して生じる所定の保持力としての所定の摩擦力よりも大きくなると、移動抑止部２９は係止部材２８から分離する。これにより、係止部材２８の内周面に対してシャフト２６は独立して移動可能となる。そのため、図１０（Ｂ）に示すように、係止部材２８はチャンネル開口部１５に係止したまま、移動抑止部２９はシャフト２６と共に先端方向に移動する。
【００３１】
従って、処置具挿通チャンネル２０内においてシャフト２６を先端方向に牽引する際に、係止部材２８がチャンネル開口部１５に係止された状態であるため、シャフト２６とチャンネル開口部１５の間に一定の距離が保たれるので、チャンネル開口部１５の削れを防ぐことができる。
【００３２】
さらに、シャフト２６を先端方向に牽引すると、係止部材２８の当接面３２ａと拡径部３０の当接面３２ｂが当接し、係止部材２８に牽引力が伝わる。そして、その牽引力が所定の力を超えたとき、チャンネル開口部１５に係止されている状態から係止部材２８がチャンネル開口部１５から外れ、洗浄具２５は内視鏡１の処置具挿通チャンネル２０から取り出される。
【００３３】
続いて、内視鏡１の送気・送水チャンネル２３内を洗浄する場合について説明する。洗浄具２５の先端を内視鏡１の送気・送水口１０から挿入する。図１１は第１実施形態に係る使用状態を示す縦断面図であり、内視鏡１の送気・送水口１０から洗浄具２５を挿入した様子が示されている。拡径部３０付近を持ってシャフト２６を送気・送水チャンネル２３に対して押し込むと、ブラシ毛２７は内視鏡１の送気・送水口１０からノズル開口部２４へ向けて移動することになり、ブラシ毛２７は送気・送水チャンネル２３の内周面に当接し、擦過することにより送気・送水チャンネル２３内の洗浄を行う。洗浄具２５の先端部が内視鏡１のノズル開口部２４に到達したら、シャフト先端部２６ａ付近を引っ張り、後述するように洗浄具２５を送気・送水チャンネル２３から取り出す。
【００３４】
図１２は第１実施形態に係る使用状態を示す縦断面図であり、内視鏡１のノズル開口部２４に洗浄具２５の係止部材２８及び移動抑止部２９が到達した状態が示されている。シャフト先端部２６ａ付近を保持してシャフト２６を洗浄具２５の先端方向に牽引する際、係止部材２８及び移動抑止部２９がノズル開口部２４に到達すると、図１２（Ａ）に示すように、係止部材２８の外周面がノズル開口部２４の内周面に係合し、係止部材２８がノズル開口部２４に係止される。さらに、シャフト２６を先端方向に牽引すると、係止部材２８はノズル開口部２４に係止されていることから、孔部２８ａの内周面と接合面３３において係止部材２８と移動抑止部２９との間でシャフト２６の牽引方向にせん断力が発生する。このシャフト２６の牽引力が所定の大きさよりも大きくなり、せん断力が所定の値、即ち、係止部材２８の弾性変形によって孔部２８ａ内周面が接合面３３を押圧して生じる所定の保持力である所定の摩擦力よりも大きくなると、係止部材２８は移動抑止部２９から分離する。これにより、係止部材２８の孔部２８ａに対してシャフト２６は独立して移動可能となる。そのため、図１２（Ｂ）が示すように、移動抑止部２９はシャフト２６と共に先端方向に牽引され、係止部材２８はノズル開口部２４に係止する。
【００３５】
従って、処置具挿通チャンネル２０内においてシャフト２６を先端方向に牽引する際に、係止部材２８がノズル開口部２４に係止された状態であるため、シャフト２６とノズル開口部２４の間に一定の距離が保たれるので、ノズル開口部２４の削れを防ぐことができる。
【００３６】
さらに、シャフト２６を先端方向に牽引すると、係止部材２８の当接面３２ａと拡径部の当接面３２ｂが当接し、係止部材２８に牽引力が伝わる。そして、その牽引力が所定の大きさを超えたとき、ノズル開口部２４に係止されている状態から係止部材２８がノズル開口部２４から外れ、洗浄具２５は内視鏡１の送気・送水チャンネル２３から取り出される。
【００３７】
本実施形態では洗浄部材としてブラシ毛２７を用いているが、ブラシ毛２７に限定する必要はなく、図１３に示すようにブラシ毛２７の代わりにスポンジ３４等を用いることも好適と考えられる。スポンジ３４はシャフト２６の先端付近に接着され、管路の断面形状に合わせて形成される。例えば、図１３（Ａ）に示すように、処置具挿通チャンネル２０または送気・送水チャンネル２３の内周面の形状に合わせた円柱状や、図１３（Ｂ）が示すようにノズル開口部２４の形状に合わせた扁平状であってもよい。
【００３８】
（第２実施形態）
次に、第２実施形態について図１４〜１７を用いて説明する。この実施形態は係止部材及び移動抑止部の構造が異なる他は第１実施形態と同じであり、第１実施形態で説明した部材には同一の符号を付し、詳しい説明を省略する。
【００３９】
図１４は、第２実施形態に係る洗浄具３５の全体図であり、洗浄具３５はシャフト２６と、ブラシ毛２７と、係止部材１２８と、係止部材１２８付近のシャフト２６に設けられた移動抑止部１２９と、拡径部３０と、を有して構成されている。係止部材１２８、移動抑止部１２９の詳細については後述する。
【００４０】
図１５は第２実施形態に係る洗浄具３５の移動抑止部付近の縦断面図であり、図１６は第２実施形態に係る洗浄具３５の移動抑止部１２９付近の部分拡大図である。係止部材１２８はシャフト２６の径方向に突出するとともに、外径がチャンネル開口部１５のチャンネル開口径またはノズル開口部２４の短径よりも大きく、処置具挿通チャンネル２０または送気・送水チャンネル２３の孔径よりも小さく形成されている。これは、係止部材１２８が処置具挿通チャンネル２０または送気・送水チャンネル２３内では挿入部２の長手軸方向に移動可能にするためである。係止部材１２８のほぼ中心には、シャフト２６が挿通される孔部１２８ａが設けられている。さらに、係止部材１２８には、後述する係合部材としての移動抑止部１２９を先端方向から内部に収容する凹部が形成され、その凹部内周面には、移動抑止部１２９と係合する溝部３６が周方向に設けられている。係止部材１２８の外周面において、シャフト２６の基端方向側には拡径部３０に当接する当接面３２ａが形成されている。また、係止部材１２８は、第１実施形態と同様に、弾性変形可能な弾性体であればその素材は特に限定されない。
【００４１】
移動抑止部１２９はシャフト２６を挿通して固着された円筒状の接合部３７から突出部である２つの爪３８が所定の角度θで基端方向へ突出しており、これら２つの爪３８の先端はシャフト２６の径方向外側に向けて曲げられている。２つの爪３８はシャフト２６を軸に対称的（シャフト２６の軸中心を点とする点対称位置）に設けられている。また、２つの爪３８の外周面にはそれぞれ、係止部材１２８の内周面と接合する接合面１３３と、接合面１３３よりも先端側に設けられたノズル開口部２４に当接可能な当接面３２ｃと、が形成されている。爪３８はそれぞれ、接合部３７から突出する根元部分を支点に揺動して変形可能であり、爪３８の先端部に係止部材１２８の溝部３６を引掛けて係止部材１２８を保持することで、シャフト２６に対する係止部材１２８の移動を抑止することができる。なお、２つの爪３８はシャフト２６に編み込んだ拠り線とてもよい。
【００４２】
以下に、以上のように構成された洗浄具３５を用いて内視鏡１の送気・送水チャンネル２３を洗浄する際の使用方法について説明する。送気・送水チャンネル２３を洗浄する際には、シリンジ（図示しない）を送気・送水口１０から取り外し、洗浄具３５の先端を内視鏡の送気・送水口１０から挿入する。図１１は第１実施形態に係る洗浄具の使用状態を示す縦断面図であり、内視鏡１の送気・送水口１０から洗浄具３５を挿入した状態を示している。拡径部３０付近を持ってシャフト２６を送気・送水チャンネル２３に対して押し込むと、ブラシ毛２７は内視鏡１の送気・送水口１０からノズル開口部２４へ向けて移動することになり、ブラシ毛２７は送気・送水チャンネル２３の内周面に当接し、擦過することにより洗浄を行う。洗浄具３５の先端部が内視鏡１のノズル開口部２４に到達し、シャフト先端部２６ａがノズル開口部２４から突出したら、このシャフト先端部２６ａ付近を引っ張り、後述するように洗浄具３５を送気・送水チャンネル２３から取り出す。
【００４３】
図１７は第２実施形態に係る洗浄具の使用状態を示す縦断面図であり、内視鏡１のノズル開口部２４に洗浄具３５の係止部材１２８及び移動抑止部１２９が到達した状態が示されている。シャフト先端部２６ａ付近を保持してシャフト２６を洗浄具３５の先端方向に牽引すると、図１７（Ａ）に示すように、係止部材１２８及び移動抑止部１２９が内視鏡用洗浄ノズル１７に到達する。さらに、シャフト２６を先端方向に牽引すると、図１７（Ｂ）に示すように、移動抑止部１２９の爪３８の当接面３２ｃはノズル開口部２４に当接する。そして、ノズル開口部２４に当接した爪３８は、接合部３７から突出する根元部分を支点として変形し、シャフト２６の中心軸方向に向かって倒れる。すると、係止部材１２８の溝部３６から爪３８が分離する。そして、移動抑止部１２９の爪３８は、シャフト２６と共に先端方向に牽引されることにより、ノズル開口部２４に係止された係止部材１２８から分離する。これにより、係止部材１２８の孔部１２８ａの内周面に対してシャフト２６は独立して移動可能となる。次いで、図１７（Ｃ）に示すように、移動抑止部１２９はシャフト２６と共に先端方向に牽引された後、ノズル開口部２４に係止される。
【００４４】
さらに、シャフト２６を先端方向に牽引すると、係止部材１２８の当接面３２ａと拡径部３０の当接面３２ｂが当接し、係止部材１２８に牽引力が伝わる。そして、その牽引力が所定の大きさを超えたとき、ノズル開口部２４に係止されている状態から係止部材１２８がノズル開口部２４から外れ、洗浄具３５は内視鏡１の送気・送水チャンネル２３から取り出される。
【００４５】
このように、第２実施形態に係る洗浄具を使用することにより、送気・送水チャンネル２３内において、係止部材２８がノズル開口部２４に係止された状態であるため、シャフト２６を先端方向に牽引する際にシャフト２６とノズル開口部２４の間に一定の距離が保たれるので、ノズル開口部２４の削れを防ぐことができる。
【００４６】
ところで、シャフト２６を牽引した際に爪３８がノズル開口部２４の長径方向と平行になった場合は、爪３８が係止部材１２８から分離しないおそれがある。その場合には、シャフト２６を基端方向に押し戻し、爪３８がノズル開口部２４の短径部分に当接するようにシャフト２６を軸方向に回転させてから、シャフト２６を再度牽引すればよい。もしくは、爪３８をシャフト２６から放射状に例えば４つ形成し、いずれかの爪３８がノズル開口部２４の短径部分と係合するようにしてもよい。
【００４７】
なお、本実施形態では洗浄部材としてブラシ毛２７を用いているが、第１の実施形態と同様に、ブラシ毛２７に限定する必要はなく、洗浄部材としてスポンジ３４等を用いてもよい。
【００４８】
以上の実施形態に記載した発明を用いて洗浄する対象は内視鏡１に限定されず、例えば、消化器管などに用いられる内視鏡３９も対象とできる。図１８は内視鏡３９の送気・送水口１１０付近の縦断面図である。内視鏡３９においては送気・送水チャンネル１２３は手で把持される把持部４０内を挿通され、湾曲部を操作する湾曲操作ダイヤル近傍の送気・送水口１１０において開口する。この送気・送水口１１０には送気・送水ボタン４１が設けられている。この内視鏡３９の送気・送水チャンネル１２３を洗浄具２５、３５を用いて洗浄する際は、送気・送水ボタン４１を送気・送水口１１０から取り外し、洗浄具２５、３５の先端を内視鏡３９の送気・送水口１１０から挿入する。それ以外の使用方法は第１の実施形態及び第２の実施形態と同様である。
【００４９】
以上に説明した洗浄具２５，３５は、以下に記載の特徴を有する。  
（付記１）
内視鏡の管路内を洗浄する洗浄具であって、  
可撓性を有するシャフトと、  
前記シャフトの一端に設けられた洗浄部材と、  
前記シャフトの他端に設けられ、前記管路の先端開口より小さな外形を有する拡径部と、  
前記シャフトが移動自在に挿通し、前記拡径部よりも小さな孔部が形成され、前記管路の前記先端開口よりも大きく、且つ前記管路内に挿入可能な外形を有した弾性体から形成される係止部材と、  
前記シャフトの前記洗浄部材の近傍に固着され、前記係止部材を着脱自在に所定の保持力で保持して、前記シャフトに対する前記係止部材の移動を抑止する係合部材と、  
を具備することを特徴とする洗浄具。
【００５０】
（付記２）
前記係合部材は、前記管路の前記先端開口より小さく、前記孔部よりも大きな外形を備えて前記シャフトの径方向に突出形成され、前記孔部内に収容されて前記係止部材の弾性力により生じる所定の摩擦力を有して前記係止部材を保持することを特徴とする付記１に記載の洗浄具。
【００５１】
（付記３）
前記係合部材は、前記シャフトの前記他端方向に所定の角度を有して突出し、前記シャフトの軸中心を点とした点対称位置に設けられた複数の突出部を有し、  
前記係止部材は、前記複数の突出部が収容される凹部と、前記凹部の内周面に形成された溝部と、を備えて、  
前記複数の突出部が前記溝部に引掛かることで、前記係合部材が前記係止部材を保持することを特徴とする付記１に記載の洗浄具。
【符号の説明】
【００５２】
１：内視鏡
２：挿入部
１５：チャンネル開口部
１７：内視鏡用洗浄ノズル
２０：処置具挿通チャンネル
２３：送気・送水チャンネル
２４：ノズル開口部
２５：洗浄具
２６：シャフト
２７：ブラシ毛
２８、１２８：係止部材
２８ａ：孔部
２９、１２９：移動抑止部
３０：拡径部
３２ａ、３２ｂ、３２ｃ：当接面
３３、１３３：接合面
【図１】
2014103978.tif 000003
【図２】
2014103978.tif 000004
【図３】
2014103978.tif 000005
【図４】
2014103978.tif 000006
【図５】
2014103978.tif 000007
【図６】
2014103978.tif 000008
【図７】
2014103978.tif 000009
【図８】
2014103978.tif 000010
【図９】
2014103978.tif 000011
【図１０】
2014103978.tif 000012
【図１１】
2014103978.tif 000013
【図１２】
2014103978.tif 000014
【図１３】
2014103978.tif 000015
【図１４】
2014103978.tif 000016
【図１５】
2014103978.tif 000017
【図１６】
2014103978.tif 000018
【図１７】
2014103978.tif 000019
【図１８】
2014103978.tif 000020